(57)【要約】      （修正有）【課題】使用者の肩及び胸に当接する帯状の当接部が、使用者の身長などの体型に応じて肩に掛かる負荷を低減するために適切な箇所に自動的に調整される背負いバッグを提供することを目的とする。【解決手段】内部に物品を収納するバッグ本体１と、使用者の肩及び胸に当接する帯状の当接部２と、一体化されている上部ベルト４及び下部ベルトと、上部ベルト４又は下部ベルトの少なくとも一方を挿通する覆設部を備え、上部ベルト４及び下部ベルトが所定の角度を有してバッグ本体１の一方の面側における側端側に広がって配設されている背負いバッグにより解決することができた。【選択図】図１
2019180515.tif 000002
【特許請求の範囲】
【請求項１】
内部に物品を収納するバッグ本体と、
前記バッグ本体の一方の面側に位置し、使用者の肩及び胸に当接する帯状の当接部と、
一端が前記当接部の一端側に固設された上部ベルトと、
前記バッグ本体の一方の面側における上端側又は前記バッグ本体の上面に配設され前記上部ベルトを挿通する環状取付け部と、
一端が前記上部ベルトと間接的に接続され又は前記上部ベルトと一体に形成され、他端が前記バッグ本体の一方の面側における下端側に固設された下部ベルトと、
前記当接部における前記バッグ本体とは反対側の面に覆設され、前記下部ベルト又は前記下部ベルトの少なくとも一方を挿通する覆設部と、
備え、
前記上部ベルト及び前記下部ベルトが所定の角度を有して前記バッグ本体の一方の面側における側端側に広がって配設されていることを特徴とする背負いバッグ。
【請求項２】
前記上部ベルトの他端及び上記下部ベルトの一端のそれぞれが遊着された止着部を備えることを特徴とする請求項１に記載の背負いバッグ。
【請求項３】
前記上部ベルト又は前記下部ベルトの少なくとも一方は、複数の帯状部材がそれらの間に位置する長さ調節部と係合して形成されている
ことを特徴とする請求項１又は請求項２に記載の背負いバッグ。
【請求項４】
前記環状取付け部が開口に架設された架設部を有し、前記上部ベルトが前記架設部に係止されていることを特徴とする請求項１から請求項３のいずれかに記載の背負いバッグ。
【請求項５】
前記止着部が環状であることを特徴とする請求項２に記載の背負いバッグ。
【発明の詳細な説明】
【技術分野】
【０００１】
本発明は、旅行、出張、通勤、通学、買物などの移動時などにおいて使用し、各種の物品を内部に収納して使用者の背中に背負うなどして使用する背負いバッグに関する。
【背景技術】
【０００２】
従来、袋状又は箱状のカバン本体の背当て部側に、使用者の肩及び胸に当接する部材を有する背負いバッグが多く知られている。
【０００３】
例えば、特許文献１には、カバン本体の背当て部側に、使用者の肩及び胸に当接する部材を有し、その使用者に当接する部材にベルトが挿通されている背負いバッグが明細書段落００２２や図１１に開示されている。
【先行技術文献】
【特許文献】
【０００４】
【特許文献１】特開２０１３−１７２９６４号公報
【発明の概要】
【発明が解決しようとする課題】
【０００５】
しかしながら、特許文献１の背負いバッグでは、使用者の肩及び胸に当接する部材がカバン本体に直接固定されているために、使用者の身長などの体型に応じて肩に掛かる負荷を低減するために適切な箇所に調整することができなかった。
【０００６】
そのため、本発明では、使用者の肩及び胸に当接する帯状の当接部が、使用者の身長などの体型に応じて肩に掛かる負荷を低減するために適切な箇所に自動的に調整される背負いバッグを提供することを目的とする。
【課題を解決するための手段】
【０００７】
〔１〕すなわち、本発明は、内部に物品を収納するバッグ本体（１）と、
前記バッグ本体（１）の一方の面側に位置し、使用者の肩及び胸に当接する帯状の当接部（２）と、
一端が前記当接部（２）の一端側に固設された上部ベルト（４）と、
前記バッグ本体（１）の一方の面側における上端側又は前記バッグ本体（１）の上面に配設され前記上部ベルト（４）を挿通する環状取付け部（５）と、
一端が前記上部ベルトと間接的に接続され又は前記上部ベルトと一体に形成され、他端が前記バッグ本体（１）の一方の面側における下端側に固設された下部ベルト（６）と、
前記当接部（２）における前記バッグ本体（１）とは反対側の面に覆設され、前記上部ベルト（４）又は前記下部ベルト（６）の少なくとも一方を挿通する覆設部（７）と、
を備え、
前記上部ベルト（４）及び前記下部ベルト（６）が所定の角度を有して前記バッグ本体（１）の一方の面側における側端側に広がって配設されていることを特徴とする背負いバッグである。
【０００８】
〔２〕そして、前記上部ベルト（４）の他端及び上記下部ベルト（６）の一端のそれぞれが遊着された止着部（３）を備えることを特徴とする前記〔１〕に記載の背負いバッグである。
【０００９】
〔３〕そして、前記上部ベルト（４）又は前記下部ベルト（６）の少なくとも一方は、複数の帯状部材（６１、６２）がそれらの間に位置する長さ調節部（８）と係合して形成されていることを特徴とする前記〔１〕又は前記〔２〕に記載の背負いバッグである。
【００１０】
〔４〕そして、前記環状取付け部（５）が開口に架設された架設部（５１）を有し、前記上部ベルト（４）が前記架設部（５１）に係止されていることを特徴とする前記〔１〕から前記〔３〕のいずれかに記載の背負いバッグである。
【００１１】
〔５〕そして、前記止着部（３）が環状であることを特徴とする前記〔２〕に記載の背負いバッグである。
【発明の効果】
【００１２】
本発明の背負いバッグによれば、使用者の肩及び胸に当接する帯状の当接部を、使用者の身長などの体型に応じて肩に掛かる負荷を低減するために適切な箇所に自動的に調整することができる。
【図面の簡単な説明】
【００１３】
【図１】本発明の第一実施形態である背負いバッグの背面図である。
【図２】本発明の第一実施形態である背負いバッグの当接部における分解斜視図である。
【図３】本発明の第一実施形態である背負いバッグにおける当接部が一の状態にある側面図である。
【図４】本発明の第一実施形態である背負いバッグにおける当接部が他の状態にある側面図である。
【図５】本発明の第一実施形態である背負いバッグにおける第一位置調節ベルト及び第二位置調節ベルトの角度が変わる前後を示す概略図である。
【図６】本発明の第二実施形態である背負いバッグの当接部における分解斜視図である。
【図７】本発明の第三実施形態である背負いバッグの当接部における分解斜視図である。
【発明を実施するための形態】
【００１４】
以下、本発明に係る背負いバッグに関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。明細書における上下方向は、図１、図３、図４における上下方向であり、側方は、図１における左右方向である。
【００１５】
（第一実施形態）
図１〜図５に示すように、本実施形態の背負いバッグは、バッグ本体１と、使用者の肩及び胸に当接する当接部２と、止着部３に遊着された上部ベルト４と、上部ベルト４を挿通する環状取付け部５と、止着部３に遊着された下部ベルト６と、上部ベルト４及び下部ベルト６を当接部２との間に挿通する覆設部７などを備えている。
【００１６】
バッグ本体１は、内部に物品を収納する部材である。図１、図３、図４などに示すように、バッグ本体１は袋状の部材であり、使用者の背中で背負うことができる程度の大きさである。そして、バッグ本体１の外周には線ファスナーが設けられており、その線ファスナーの開閉により、内部に物品を収納したり内部から物品を取り出したりすることができる。また、バッグ本体１の表側の下方には、別の線ファスナーにより開閉が可能なポケットが設けられている。なお、バッグ本体１は、本実施形態において袋状であるが、他の実施形態において内部に物品を収納しうる空間が存在する限りにおいて箱状など所定の特定の形状を有する部材とすることもできる。
【００１７】
また、使用時に使用者の背中側となるバッグ本体１の背面側には、網目状のメッシュ部１１がバッグ本体１の背面から所定の距離だけ離れて設けられている。このメッシュ部１１が、使用時には使用者の背中に直接当接することとなり、メッシュ部１１が網目状であり、さらに、バッグ本体１の背面側から所定の距離だけ離れて設けられていることにより、長時間の使用でも使用者の背中が蒸れたり汗ばんだりせず快適に背負うことができる。
【００１８】
当接部２は、バッグ本体１の一方の面側である背面側に位置し、使用者の肩及び胸に当接する帯状の部材である。当接部２は、使用者の肩から腰あたりまでの長さを有し、バッグ本体１の背面側に略ハの字状に、使用者の両肩で背負うことができるように左右一対で配設されている。当接部２は、使用者の肩及び胸に当接する表面の内側には、図示しない弾性のあるクッション材が内設されており、使用者の肩に掛かる負荷を低減して長時間の使用にも肩が痛くならないようになっている。
【００１９】
また、当接部２の一端側である上端側には、上部ベルト４の一端が固設されていて、当接部２とバッグ本体１は直接的には固定されておらず、また、当接部２の他端側である下端側でも当接部２とバッグ本体１は直接的には固定されていない。このために、当接部２は、上部ベルト４を挿通する環状取付け部５により、バッグ本体１に対して、上下に移動することができるようになっている。そして、使用者が当接部２を肩及び胸に当ててバッグ本体１を背負ったときに、使用者の身長などの体型に応じて肩に掛かる負荷を低減するようにバランスの取れた安定な箇所に当接部２に対して上部ベルト４が移動することにより、上部ベルト４の位置を自動的に調整することができる。
【００２０】
止着部３は、上部ベルト４及び下部ベルト６の間にそれぞれの端部が遊着された部材である。止着部３を介して上部ベルト４と下部ベルト６が間接的に接続される。本実施形態において、止着部３は、環状の部材であり、止着部３を内包するように、上部ベルト４及び下部ベルト６の端部を筒状に形成し止着部３に対して回動自在に遊着されている。上部ベルト４と下部ベルト６が、止着部３を起点にして、略「く」の字状及びその鏡合わせの形状で一対となるように、折れ角αを有して屈折して、バッグ本体１の一方の面側である背面側における側端側に広がって配設されている。折れ角αは、使用者が背負いバッグを背負ったときに上部ベルト４と下部ベルト６に締め付けされ過ぎないために１１０〜１７０°の角度であることが好ましい。
【００２１】
具体的には、下部ベルト６が、止着部３からバッグ本体１の背面側における側端側の斜め下方に向かって延びるように配設されている。また、上部ベルト４と止着部３は、上部ベルト４の他端側が止着部３を内包するように筒状に形成し回動自在に遊着されている。下部ベルト６と止着部３も、下部ベルト６の一端側が止着部３を内包するように筒状に形成し回動自在に遊着されている。この構成を有することで、図５（ａ）（ｂ）に示すように、上部ベルト４、下部ベルト６及び当接部２が連動してバッグ本体１に対して上下方向に移動するときに、上部ベルト４と下部ベルト６の成す角度である折れ角αが大きくなるように又は小さくなるように、止着部３に掛かる力がおおよそ均等になるまで変動し、当接部２から使用者の肩及び胸に掛かる負荷が分散され局所的な負荷が低減するため、なで肩、いかり肩、痩せ型体型、肥満体型など種々の体格、体型に関わらず、当接部２が肩からずり落ちることを防止することができる。なお、本実施形態において、止着部３は、環状の部材であるが、他の実施形態において、上部ベルト４と下部ベルト６の成す折れ角αが変動可能な限り、上部ベルト４の他端、下部ベルト６の一端が穿設されており、その貫通孔に挿通して回動自在に遊着されたピンのような棒状又は筒状などの部材とすることができる。
【００２２】
上部ベルト４は、一端が当接部２の一端側である上端側に固設され、他端が止着部３に遊着された部材である。上部ベルト４は、一端が当接部２の上端側に縫合、接着剤などの固着手段により固設されており、他端が止着部３に回動自在に遊着されている。本実施形態において、上部ベルト４は、当接部２よりも幅が狭く形成されており、一端が当接部２の上端側に縫合されることにより固設されている。
【００２３】
そして、上部ベルト４の少なくとも一部は、当接部２におけるバッグ本体１とは反対側の面において、覆設部７により覆われており、当接部２と覆設部７によって形成された隙間を当接部２の長さ方向に沿って移動自在となっている。この構成により、上部ベルト４と当接部２が相対的に位置を変えることができる。
【００２４】
さらに、上部ベルト４は、一端側で環状取付け部５の内側に挿通されている。このために、上部ベルト４は環状取付け部５において折り返されることとなり、上部ベルト４と当接部２がバッグ本体１とが直接的には固定されていないことにより、相対的に位置を変えながら移動することができる。すなわち、環状取付け部５を支点として、上部ベルト４と当接部２が連動してバッグ本体１に対して上下方向に移動することができる。
【００２５】
環状取付け部５は、バッグ本体１の一方の面側である背面側における上端側又はバッグ本体１の上面に配設され上部ベルト４を挿通する部材である。そして、バッグ本体１の背面側に配設されているときには、環状取付け部５は、バッグ本体１の上端側から吊り下げられている。また、環状取付け部５は、円環、角環、Ｄ字状環など種々の形状を有する環状の部材であり、その内側に上部ベルト４が移動可能に挿通されている。上部ベルト４の一部が環状取付け部５に支持されているために、当接部２及び覆設部７が脱落しないように構成されている。
【００２６】
また、環状取付け部５が、円環やＤ字状など曲線の箇所を有していると、上部ベルト４の一部が、環状取付け部５に対してバッグ本体１の両側方に揺動することができるので、使用者の身体的特徴に応じて当接部２が滑らかに移動して使用者への局所的な負荷が低減する位置で安定する。さらに、環状取付け部５が、角環など直線によって形成され曲線の箇所を有していないときには、環状取付け部５をバッグ本体１に接続する接続部がバッグ本体１に軸止めされるなどの固設手段により、上部ベルト４の一部が、環状取付け部５と一体になってバッグ本体１に対してバッグ本体１の両側方に揺動することができるので、同様の作用効果を奏することができる
【００２７】
下部ベルト６は、一端が止着部３に遊着され、他端がバッグ本体１の一方の面側における下端側に固設された部材である。下部ベルト６は、他端がバッグ本体１の下端側に縫合、接着剤などの固着手段により固設されている。本実施形態において、下部ベルト６は、当接部２よりも幅が狭く上部ベルト４とほぼ同じ幅で形成されており、一端が止着部３を内包するように筒状に形成され止着部３に遊着されており、他端がバッグ本体１の下端側に縫合されることにより固設されている。
【００２８】
また、本実施形態において、下部ベルト６は、複数の帯状部材である下部第一ベルト６１及び下部第二ベルト６２から構成されている。下部第一ベルト６１と下部第二ベルト６２の間には長さ調節部８が設けられている。そして、さらに具体的には、下部第一ベルト６１の他端が長さ調節部８の一の架橋部に固定され、下部第二ベルト６２の一端が長さ調節部８の他の複数の架橋部に係止している。下部第二ベルト６２と長さ調節部８との係止箇所を変えることにより、長さ調節部８とバッグ本体１との間の下部第二ベルト６２の長さを長く又は短くすることができるので、使用者の体型などの身体的特徴に応じて適切な長さとなるよう調整することができる。
【００２９】
また、本実施形態において、下部ベルト６が、長さ調節部８を間に介した下部第一ベルト６１及び下部第二ベルト６２からなる複数の帯状部材からなるが、他の実施形態において、下部ベルト６は一の帯状部材からなり、上部ベルト４の方が、長さ調節部８を間に介した複数の帯状部材からなるようにすることができ、さらには、上部ベルト４及び下部ベルト６の両方が、それぞれ長さ調節部８を間に介した複数の帯状部材からなるようにすることもできる。
【００３０】
覆設部７は、当接部２におけるバッグ本体１とは反対側の面に覆設され、当接部２との間で少なくとも上部ベルト４又は下部ベルト６の少なくとも一方を挿通する部材である。覆設部７は、当接部２の両側端側に縫合又は接着などの固着手段で固設されているため、中央付近には空隙が生じており、その空隙に上部ベルト４又は下部ベルト６が内包されるようにして挿通されている。また、覆設部７は、上部ベルト４と、下部ベルト６の両方を覆うように配設することもできる。覆設部７により、上部ベルト４又は下部ベルト６の少なくとも一方と当接部２と一体として扱えるようにしながらも、上部ベルト４又は下部ベルト６の少なくとも一方と当接部２が相対的に位置を変えることができるようにしている。
【００３１】
本実施形態において、覆設部７は、当接部２の上部を覆う第一覆設部７１と、第一覆設部７１から下方に所定の間隔を隔てられて当接部２の下部を覆う第二覆設部７２と、第二覆設部７２からさらに下方に所定の間隔を隔てられて当接部２の下部を覆う第三覆設部７３からなる。そして、第一覆設部７１と当接部２の間に上部ベルト４が挿通されており、第二覆設部７２と当接部２の間には下部第一ベルト６１が挿通されており、第三覆設部７３と当接部２の間には下部第二ベルト６２が挿通されている。この構成を有することで、上部ベルト４及び下部ベルト６との間に設けられている止着部３が、第一覆設部７１や第二覆設部７２に覆われず露出しやすくなるために、上部ベルト４及び下部ベルト６の位置が変わったときに、それらにより形成される折れ角αが変わりやすくなることで、使用者の体型にフィットしやすく当接部２のずり落ちを防止しやすくなっている。さらに、下部第一ベルト６１と下部第二ベルト６２の間に設けられている長さ調節部８が、第二覆設部７２や第三覆設部７３に覆われず露出しやすくなるために、長さ調節部８を操作して下部第二ベルト６２の長さを調整しやすくなっている。
【００３２】
本実施形態において、覆設置部７は、上部ベルト４及び下部ベルト６を覆い、当接部２との間での上部ベルト４及び下部ベルト６を挿通するが、他の実施形態において、上部ベルト４及び下部ベルト６の短手方向に曲げられることにより細長い筒状を形成してその形状を維持して当接部２に固設され、その筒状の内部に上部ベルト４及び下部ベルト６を挿通する挿通するようにすることができる。。
【００３３】
長さ調節部８は、下部第一ベルト６１と下部第二ベルト６２の間に位置し、下部第一ベルト６１の一端から下部第二ベルト６２の他端までの全体の長さの調整するための部材である。長さ調節部８は、略矩形状や略円形状の枠部に、下部第一ベルト６１と下部第二ベルト６２の長さ方向とは垂直な方向に架設された棒状又は板状の少なくとも一方である架橋部が複数設けられ、それぞれの架橋部の間には下部第一ベルト６１と下部第二ベルト６２を挿通することができる孔部が設けられている。
【００３４】
この長さ調節部８の一の架橋部に、下部第一ベルト６１又は下部第二ベルト６２の一方の端部を固定し、下部第一ベルト６１又は下部第二ベルト６２の他方の端部側を孔部に挿通して他の複数の架橋部に摩擦力などにより係止させるように配設している。この構成を有することで、下部第一ベルト６１又は下部第二ベルト６２の他方の端部側は、複数の複数の架橋部に単に係止されているだけで固定されているわけではないので、下部第一ベルト６１又は下部第二ベルト６２の他方の端部側を複数の架橋部から離すように緩めて係止する箇所を変更することにより、下部第一ベルト６１の一端から下部第二ベルト６２の他端までの全体の長さの調整することができる。本実施形態において、下部第一ベルト６１の他端が長さ調節部８の一の架橋部に固定され、下部第二ベルト６２の一端が長さ調節部８の他の複数の架橋部に係止しているが、他の実施形態において、下部第一ベルト６１の他端が長さ調節部８の他の複数の架橋部に係止し、下部第二ベルト６２の一端が長さ調節部８の一の架橋部に固定するように設けることもできる。また、下部第一ベルト６１又は下部第二ベルト６２の一方の端部を固定するときに、一の架橋部に固着して動かないように固定することもできるし、一の架橋部を内包するようにその端部を筒状に形成し回動自在に固定することもできる。
【００３５】
（第二実施形態）
本実施形態の背負いバッグは、第一実施形態と同様に、バッグ本体１と、使用者の肩及び胸に当接する当接部２と、止着部３に遊着された上部ベルト４と、上部ベルト４を挿通する環状取付け部５と、止着部３に遊着された下部ベルト６と、上部ベルト４及び下部ベルト６を当接部２との間に挿通する覆設部７などを備えている。
【００３６】
しかしながら、図６に示すように、長さ調節部８を用いずに、環状取付け部５の構造などにおいて相違する。すなわち、環状取付け部５は、第一実施形態では環状であり単に開口を有しているだけであったが、本実施形態において、その開口を横切って架設された架設部５１を有し、上部ベルト４が架設部５１に係止されている。より具体的には、環状取付け部５において、略矩形状や略円形状の枠部に、上部ベルト４の長さ方向とは垂直な方向に架設された棒状又は板状の少なくとも一方である複数の架設部５１が設けられ、それぞれの架設部５１の間には上部ベルト４を挿通することができる複数の孔部が設けられている。本実施形態における環状取付け部５により、まず、環状取付け部５及び架設部５１とバッグ本体１との距離を変え、大まかな当接部２の位置を手動で調節することができる。そして、細かな位置調節を、架設部５１を介した上部ベルト４と当接部２、覆接部７との挿通構造によって自動的に行うことができる。なお、長さ調節部８を用いないことで、下部ベルト６は一の部材となっている。
【００３７】
（第三実施形態）
本実施形態の背負いバッグは、第一実施形態と同様に、バッグ本体１と、使用者の肩及び胸に当接する当接部２と、一端がバッグ本体１の上側に固着された上部ベルト４と、上部ベルト４を挿通する環状取付け部５と、他端がバッグ本体１の下側に固着された下部ベルト６と、上部ベルト４及び下部ベルト６を当接部２との間に挿通する覆設部７などを備えている。
【００３８】
しかしながら、図７に示すように、上部ベルト４と下部ベルト６が、止着部３を介さず一体に形成されている構造を有している点などにおいて相違する。上部ベルト４の他端と下部ベルト６の一端が、略「く」の字状に折れ角αを有して一体的に成形されており、バッグ本体１の一方の面側である背面側における側端側に広がって配設されている。折れ角αは、使用者が背負いバッグを背負ったときに上部ベルト４と下部ベルト６に締め付けされ過ぎないために１１０〜１７０°の角度であることが好ましい。
【００３９】
また、覆設部７は、当接部２の上部から下部の途中までを覆う第一覆設部７１と、第一覆設部７１から下方に所定の間隔を隔てられて当接部２の下部の下端側を覆う第三覆設部７３からなる。本実施形態の第一覆設部７１は、第一実施形態における第一覆設部７１及び第二覆設部７２を合せた程度の長さを有している。そして、第一覆設部７１と当接部２の間に上部ベルト４のすべてと下部ベルト６のおおよそすべてが挿通されており、第三覆設部７３と当接部２の間には下部第二ベルト６２が挿通されている。第一覆設部７１及び第三覆設部７３による作用効果は、第一実施形態と同様である。
【符号の説明】
【００４０】
１・・・バッグ本体
１１・・・メッシュ部
２・・・当接部
３・・・止着部
４・・・上部ベルト
５・・・環状取付け部
６・・・下部ベルト
６１・・・下部第一ベルト
６２・・・下部第二ベルト
７・・・覆設部
７１・・・第一覆設部
７２・・・第二覆設部
７３・・・第三覆設部
８・・・長さ調節部
α・・・折れ角
【図１】
2019180515.tif 000003
【図２】
2019180515.tif 000004
【図３】
2019180515.tif 000005
【図４】
2019180515.tif 000006
【図５】
2019180515.tif 000007
【図６】
2019180515.tif 000008
【図７】
2019180515.tif 000009